Podtech/llm-jp-corpus-v4-ja_patent huggingface dataset:
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
容積が変更可能な流体室と、
前記流体室に連通する入口流路及び出口流路と、
前記流体室の容積を変更する容積変更手段と、
前記入口流路に流体を供給する流体供給手段と、
前記流体室と連通し流体を噴射する流体噴射開口部と、
前記流体噴射開口部の近傍の部材を振動させる加振手段と、
前記近傍の部材の振動の大きさを検出する振動検出手段と、
前記振動検出手段で検出された振動の大きさに基づき、前記容積変更手段の動作を制御する動作制御手段と、を備えることを特徴とする流体噴射装置。
【請求項２】
前記流体噴射開口部の近傍に位置する吸引開口部と、前記吸引開口部を介して吸引した物体を搬送する通路とを有する吸引管と、
前記吸引開口部の近傍の物体を吸引する吸引力を付与する吸引力付与手段と、をさらに備え、
前記流体噴射開口部の近傍の部材が前記吸引開口部を構成する部材であることを特徴とする請求項１に記載の流体噴射装置。
【請求項３】
前記加振手段は、前記流体噴射開口部を振動させる加振力を発生する加振力発生部を有し、
前記振動検出手段は、振動を受振する振動受振部を有し、
前記加振力発生部及び前記振動受振部を、前記出口流路に設けたことを特徴とする請求項１に記載の流体噴射装置。
【請求項４】
前記出口流路の外周面の少なくとも一部に平面を設け、該平面上に前記加振力発生部及び前記振動受振部を設けたことを特徴とする請求項３に記載の流体噴射装置。
【請求項５】
前記加振手段は、前記吸引開口部を振動させる加振力を発生する加振力発生部を有し、
前記振動検出手段は、振動を受振する振動受振部を有し、
前記加振力発生部及び前記振動受振部を、前記吸引管に設けたことを特徴とする請求項２に記載の流体噴射装置。
【請求項６】
前記加振力発生部は、圧電素子を有し、前記加振力を発生する圧電素子と同じ圧電素子によって、加振力を発生する機能と、振動を受振する前記振動受振部としての機能とを兼ね備えることを特徴とする請求項３乃至請求項５のいずれか１項に記載の流体噴射装置。
【請求項７】
前記加振手段は、前記圧電素子を駆動する駆動部を有し、
前記振動検出手段は、前記圧電素子に生じる起電力を検出する起電力検出部を有し、
前記駆動部による駆動信号の供給と前記起電力検出部による起電力の検出とを時分割で行うように制御する時分割制御手段を備えることを特徴とする請求項６に記載の流体噴射装置。
【請求項８】
前記加振手段は、複数の前記加振力発生部を有し、前記複数の加振力発生部において発生する力が前記加振力を大きくするように各加振力発生部の動作を制御することを特徴とする請求項３乃至請求項７のいずれか１項に記載の流体噴射装置。
【請求項９】
前記動作制御手段は、前記振動検出手段で検出された振動の大きさが所定の大きさよりも小さいときに前記容積変更手段が動作するように制御し、前記振動の大きさが前記所定の大きさ以上のときに前記容積変更手段が動作しないように制御することを特徴とする請求項１乃至請求項８のいずれか１項に記載の流体噴射装置。
【請求項１０】
容積が変更可能な流体室と、前記流体室に連通する入口流路及び出口流路と、前記流体室の容積を変更する容積変更手段と、前記入口流路に流体を供給する流体供給手段と、前記出口流路の前記流体室と連通する側の端部とは反対側の端部に設けられた流体噴射開口部と、加振手段と、振動検出手段と、動作制御手段と、を備えた流体噴射装置の駆動方法であって、
前記加振手段に、前記流体噴射開口部の近傍の部材を振動させる加振ステップと、
前記振動検出手段に、前記近傍の部材の振動の大きさを検出させる振動検出ステップと、
前記動作制御手段に、前記振動検出ステップで検出された振動の大きさに基づき、前記容積変更手段の動作を制御させる動作制御ステップと、を含むことを特徴とする流体噴射装置の駆動方法。
【請求項１１】
請求項１乃至請求項９のいずれか１項に記載の流体噴射装置を備えることを特徴とする手術用器具。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、
洗濯運転や乾燥運転に関する情報を音声で提供するスピーカを備え、前記スピーカは前記外枠筐体の前側下部で、前記洗濯水洗剤供給系とは反対側の方に配置したことを特徴とする洗濯乾燥機。
【請求項２】
回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、
前記外枠筐体は、左右の外側板と、背面である後側の補強板と、洗濯物の出し入れで開け閉めされる外蓋を回動自在に支持する前側の補強板と、前記外枠筐体の前側を前記補強板の外側から覆う前面カバーを有し、前記左右の外側板、前記後側の補強板、および前記補強板は鋼板で、前記前面カバーは合成樹脂で形成し、
洗濯運転や乾燥運転に関する情報を音声で提供するスピーカを備え、前記スピーカは前記補強板の表側で、前記洗濯水洗剤供給系とは反対側の方に配置したことを特徴とする洗濯乾燥機。
【請求項３】
回転軸が横になる回転ドラム、この回転ドラムを内置する外槽、前記回転ドラムを回転駆動するモータを含む洗濯機構と、前記洗濯機構を内置する外枠筐体と、前記洗濯機構を
防振支持する防振支持機構と、前記外槽の後側下部から流出する乾燥空気を除湿しながら上方に送風手段上方で導き、前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、
前記外枠筐体は、左右の外側板と、背面である後側の補強板と、洗濯物の出し入れで開け閉めされる外蓋を回動自在に支持する前側の補強板と、前記外枠筐体の前側を前記補強板の外側から覆う前面カバーと、全体を支える底ベースを有し、前記左右の外側板、前記後側の補強板、および前記補強板は鋼板で、前記前面カバーは合成樹脂で形成し、
洗濯運転や乾燥運転に関する情報を音声で提供するスピーカを備え、前記スピーカは前記補強板の表側で、前記洗濯水洗剤供給系とは反対側の方に配置し、
洗濯運転、乾燥運転の制御や前記スピーカに前記情報の電気信号を供給する制御装置を前記底ベースの前側に配置し、
前記スピーカと制御装置をリード線で接続したことを特徴とする洗濯乾燥機。
【請求項４】
請求項２または３記載の洗濯乾燥機において、
前記補強板は、前記左右の外側板よりも板厚みを厚くし、前記スピーカを前記補強板に螺子で締結したことを特徴とする洗濯乾燥機。
【請求項５】
回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、水道水や風呂水の給水、および洗剤や仕上げ剤の供給を行う洗濯水洗剤供給系を有し、前記外枠筐体の上部に備える前記洗濯水洗剤供給系は左右の何れか側に寄せて配置している洗濯機において、
洗濯運転や乾燥運転に関する情報を音声で提供するスピーカを備え、前記スピーカは前記外枠筐体の前側下部で、前記洗濯水洗剤供給系とは反対側の方に配置したことを特徴とする洗濯機。
【手続補正２】
【補正対象書類名】明細書
【補正対象項目名】０００４
【補正方法】変更
【補正の内容】
【０００４】
洗濯乾燥機は、回転軸が横になる回転ドラム、この回転ドラムを内置する外槽、前記回
転ドラムを回転駆動するモータを含む洗濯機構と、前記洗濯機構を内置する外枠筐体と、
前記洗濯機構を防振支持する防振支持機構と、前記外槽の後側下部から流出する乾燥空気
を除湿しながら上方に送風手段上方で導き、前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体を前側から見て左右に振り分け配置した構成をしている。
【手続補正３】
【補正対象書類名】明細書
【補正対象項目名】０００８
【補正方法】変更
【補正の内容】
【０００８】
本発明は、回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、洗濯運転や乾燥運転に関する情報を音声で提供するスピーカを備え、前記スピーカは前記外枠筐体の前側下部で、前記洗濯水洗剤供給系とは反対側の方に配置したことを特徴とする。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
衣類を収容する洗濯兼脱水槽と、この洗濯兼脱水槽を内包する外槽と、前記外槽を支持する筐体と、前記洗濯兼脱水槽を駆動する駆動手段とを備えたドラム式洗濯乾燥機において、
乾燥運転中に、前記洗濯兼脱水槽に収容された衣類に直接風を吹きつける手段を設け、該風を吹きつける手段は、送風手段、該送風手段の下流に設けたノズルとで構成し、該ノズルを有する温風吹き出し口を前記洗濯兼脱水槽の上側に位置する外槽に緩衝材を介して設置したことを特徴とするドラム式洗濯乾燥機。
【請求項２】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置とを備えたドラム式洗濯乾燥機において、
前記乾燥運転中に、前記洗濯兼脱水槽に収容された衣類に直接風を吹きつける手段を設け、該風を吹きつける手段は、送風手段、該送風手段の下流に設けたノズルとで構成し、該ノズルを有する温風吹き出し口を前記回転ドラムの上側に位置する外槽に緩衝材を介して設置したことを特徴とするドラム式洗濯乾燥機。
【請求項３】
脱水のための水抜き穴を有する洗濯兼脱水槽と、この洗濯兼脱水槽を内包し排水口につながる排水溝を有する外槽と、前記外槽を支持する筐体と、前記洗濯兼脱水槽を駆動する駆動手段とを備えたドラム式洗濯乾燥機において、
前記排水溝の一辺である洗濯兼脱水槽回転の上流側を下流側に傾斜させたことを特徴とするドラム式洗濯乾燥機。
【請求項４】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の上流側を下流側に傾斜させたことを特徴とするドラム式洗濯乾燥機。
【請求項５】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の下流側に、上流側に向けて洗濯兼脱水槽回転中心軸に対しスキュー角を有する庇を設けたことを特徴とするドラム式洗濯乾燥機。
【請求項６】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の下流側に、上流側に向けて洗濯兼脱水槽回転中心軸に対し先端中央部が凸形状の庇を設けたことを特徴とするドラム式洗濯乾燥機。
【請求項７】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の下流側に、上流側に向けた庇を緩衝材を介して設けたことを特徴とするドラム式洗濯乾燥機。
【手続補正２】
【補正対象書類名】明細書
【補正対象項目名】０００９
【補正方法】変更
【補正の内容】
【０００９】
本発明は、第１の目的を達成するため、衣類を収容する洗濯兼脱水槽と、この洗濯兼脱水槽を内包する外槽と、前記外槽を支持する筐体と、前記洗濯兼脱水槽を駆動する駆動手段とを備えたドラム式洗濯乾燥機において、
乾燥運転中に、前記洗濯兼脱水槽に収容された衣類に直接風を吹きつける手段を設け、該風を吹きつける手段は、送風手段、該送風手段の下流に設けたノズルとで構成し、該ノズルを有する温風吹き出し口を前記洗濯兼脱水槽の上側に位置する外槽に緩衝材を介して設置したことを特徴とする。
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム内に給水する給水手段と、前記回転ドラム又は内槽に温風を送風するための送風路，加熱手段及び送風手段を有する乾燥装置，前記外槽から排出される水を排出する排水ホースとを備え、前記排水ホースの排水口に温度検知手段を備えた洗濯乾燥機において、
洗濯中もしくは乾燥運転前の排水の水温に応じて、前記送風手段や前記加熱手段を制御することを特徴とする洗濯乾燥機。
【請求項２】
乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム内に給水する給水手段と、前記回転ドラム又は内槽に温風を送風するための送風路，加熱手段及び送風手段を有する乾燥装置，前記外槽から排出される水を排出する排水ホースとを備え、前記排水ホースの排水口に温度検知手段を備えた洗濯乾燥機において、
洗濯中もしくは乾燥運転前の排水の水温によって、前記加熱手段の制御モードを変更することを特徴とする洗濯乾燥機。
【請求項３】
乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム内に給水する給水手段と、前記回転ドラム又は内槽に温風を送風するための送風路，加熱手段及び送風手段を有する乾燥装置，前記外槽から排出される水を排出する排水ホースとを備え、前記排水ホースの排水口に温度検知手段を備えた洗濯乾燥機において、
洗濯中もしくは乾燥運転前の排水の水温によって、前記加熱手段の通電時間を変えることを特徴とする洗濯乾燥機。
【請求項４】
乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム内に給水する給水手段と、前記回転ドラム又は内槽に温風を送風するための送風路，加熱手段及び送風手段を有する乾燥装置，前記外槽から排出される水を排出する排水ホースとを備え、前記排水ホースの排水口に温度検知手段を備えた洗濯乾燥機において、
洗濯中もしくは乾燥運転前の排水の水温によって、前記送風手段や前記加熱手段への入力または前記加熱手段の通電時間を変えることを特徴とする洗濯乾燥機。
【請求項５】
請求項１乃至４の洗濯乾燥機において、
洗濯及び乾燥運転時に風呂の残り湯を揚水する風呂水給水手段を備え、
洗濯に使用する水を前記風呂水給水手段で揚水した場合、乾燥運転中の前記送風手段や前記加熱手段への入力または前記加熱手段の通電時間を変えることを特徴とする洗濯乾燥機。
【請求項６】
乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム内に給水する給水手段と、前記回転ドラム又は内槽に温風を送風するための送風路，加熱手段及び送風手段を有する乾燥装置，前記外槽から排出される水を排出する排水ホースとを備え、前記排水ホースの排水口に温度検知手段を備えた洗濯乾燥機において、
洗濯中もしくは乾燥運転前の排水の水温に応じて、前記送風手段や前記加熱手段の制御モードを変更することを特徴とする洗濯乾燥機。
【手続補正２】
【補正対象書類名】明細書
【補正対象項目名】０００８
【補正方法】変更
【補正の内容】
【０００８】
上記目的を達成するために本発明は、乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム内に給水する給水手段と、前記回転ドラム又は内槽に温風を送風するための送風路，加熱手段及び送風手段を有する乾燥装置，前記外槽から排出される水を排出する排水ホースとを備え、前記排水ホースの排水口に温度検知手段を備えた洗濯乾燥機において、洗濯中もしくは乾燥運転前の排水の水温によって、前記送風手段の入力を変えることを特徴とする。
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
遊技盤に面して開口された大入賞口孔を有した大入賞口を、当たりの場合には開放し、遊技球を前記大入賞口孔から前記遊技盤の裏面側に向かって受け入れ可能とする開状態と、前記大入賞口を閉じて遊技球の受け入れを阻止する閉状態とに切り替え自在な開閉部を有する大入賞口装置を備えた遊技機において、
前記大入賞口装置の前記開閉部は、
前記大入賞口孔の下辺側に配設され、前記大入賞口孔の下辺側からの遊技球の受け入れを阻止する阻止部と、
幅方向両端が回転自在に支持され、回転動作により前記大入賞口孔から前記遊技盤の前面側に出没して前記大入賞口を開閉する回転部材と、
回転運動により前記回転部材の下辺が前記遊技盤の前面側では前記大入賞口孔の下辺から上辺に向かう回転方向に前記回転部材を回転させる操作部材とを備え、
前記回転部材には、回転軸回りの回転時に前記阻止部に対応する位置が切り欠かれ、前記阻止部を通過可能とする開口部が形成されており、
前記大入賞口装置は、前記操作部材により前記回転部材を前記回転方向に少なくとも１回転させることで、連続した複数回の大入賞口の開閉動作が可能であることを特徴とする遊技機。
【請求項２】
前記大入賞口装置の前記開口部は、下方への遊技球の通過を阻止する開口幅を有することを特徴とする請求項１に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、大入賞口装置を備えた遊技機に関し、特に、遊技球が始動口に入球したときの抽選結果に従って行われる特別遊技時に大入賞口を開閉する大入賞口装置を備えた遊技機に関する。
【手続補正４】
【補正対象書類名】明細書
【補正対象項目名】００１５
【補正方法】変更
【補正の内容】
【００１５】
請求項１に記載の遊技機は、遊技盤に面して開口された大入賞口孔を有した大入賞口を、当たりの場合には開放し、遊技球を前記大入賞口孔から前記遊技盤の裏面側に向かって受け入れ可能とする開状態と、前記大入賞口を閉じて遊技球の受け入れを阻止する閉状態とに切り替え自在な開閉部を有する大入賞口装置を備えた遊技機において、
前記大入賞口装置の前記開閉部は、前記大入賞口孔の下辺側に配設され、前記大入賞口孔の下辺側からの遊技球の受け入れを阻止する阻止部と、幅方向両端が回転自在に支持され、回転動作により前記大入賞口孔から前記遊技盤の前面側に出没して前記大入賞口を開閉する回転部材と、回転運動により前記回転部材の下辺が前記遊技盤の前面側では前記大入賞口孔の下辺から上辺に向かう回転方向に前記回転部材を回転させる操作部材とを備え、前記回転部材には、回転軸回りの回転時に前記阻止部に対応する位置が切り欠かれ、前記阻止部を通過可能とする開口部が形成されており、前記大入賞口装置は、前記操作部材により前記回転部材を前記回転方向に少なくとも１回転させることで、連続した複数回の大入賞口の開閉動作が可能であることを構成要件とする。
【手続補正５】
【補正対象書類名】明細書
【補正対象項目名】００１８
【補正方法】変更
【補正の内容】
【００１８】
大入賞口が開いた場合、上方から落下してきた遊技球が回転部材に勢いよく衝突して弾んだり、遊技盤の裏面側に誘導されないことがある。そこで、前記大入賞口装置の開口部が下方への遊技球の通過を阻止する開口幅を有することで（請求項２）、落下してきた遊技球の勢いが開口部が形成された回転部材の撓み変形によって吸収される。さらにまた、開口部が形成されない場合と比較して、開口部の形成により回転部材の軽量化が図られるうえに、回転部材が回転する際の空気抵抗の減少化も図られる。また、特に、開口部が回転部材の回転中心軸の半径方向に形成された場合は、遊技球が遊技盤の裏面側に向かって転動する際、遊技球の底部が開口部に落とし込まれることにより、転動する遊技球の方向性、安定性が確保される。
【手続補正書】
【提出日】平成22年12月19日(2010.12.19)
【手続補正１】
【補正対象書類名】特許請求の範囲
【補正対象項目名】全文
【補正方法】変更
【補正の内容】
【特許請求の範囲】
【請求項１】
ガスタービンと蒸気タービンを組み合わせたコンバインドサイクル型発電装置であって、前記蒸気タービンを駆動させた蒸気を復水する復水器において前記蒸気の熱エネルギーを吸収した排熱水または排気が流れる配管の一部に熱交換器あるいは熱交換構造を設けて、前記熱交換器あるいは熱交換構造により加温されてメタン等を発酵する発酵槽を設けて、前記メタン等を前記発酵槽から燃焼器あるいは前記ガスタービンに直接的または間接的に送達させるための送達手段を設けたことを特徴とする、コンバインドサイクル型発電装置。
【請求項２】
ガスタービンと蒸気タービンを組み合わせたコンバインドサイクル型発電装置において、石炭等から生成したガスをガスタービンにおいて燃焼させるガス化複合発電装置であって、前記蒸気タービンを駆動させた蒸気を復水する復水器において前記蒸気の熱エネルギーを吸収した排熱水または排気が流れる配管の一部に熱交換器あるいは熱交換構造を設けて、前記熱交換器あるいは熱交換構造により加温されてメタン等を発酵する発酵槽を設けて、前記メタン等を前記発酵槽から燃焼器あるいは前記ガスタービンに直接的または間接的に送達させるための送達手段を設けたことを特徴とする、ガス化複合発電装置。
【請求項３】
石炭または石油を燃焼させて蒸気タービンを駆動させて発電する火力発電装置であって、前記蒸気タービンを駆動させた蒸気を復水する復水器において前記蒸気の熱エネルギーを吸収した排熱水または排気が流れる配管の一部に熱交換器あるいは熱交換構造を設けて、前記熱交換器あるいは熱交換構造により加温されてメタン等を発酵する発酵槽を設けて、前記メタン等を燃焼させることにより発電するガス発電装置を設けたことを特徴とする、火力発電装置。
【請求項４】
請求項３に記載した火力発電装置であって、
前記ガス発電装置がガスタービンと蒸気タービンを組み合わせたコンバインドサイクル型発電装置であることを特徴とする、火力発電装置。
【請求項５】
請求項３に記載した火力発電装置であって、
請求項３に記載したガス発電装置が請求項１に記載したコンバインドサイクル型発電装置であることを特徴とする、火力発電装置。
【請求項６】
請求項３に記載した火力発電装置であって、
請求項３に記載したガス発電装置が請求項２に記載したガス化複合発電装置であることを特徴とする、火力発電装置。
【手続補正書】
【提出日】平成23年8月10日(2011.8.10)
【手続補正１】
【補正対象書類名】明細書
【補正対象項目名】００１７
【補正方法】変更
【補正の内容】
【００１７】
このようなライトガイド４において、まず、全反射面４１は、光学系３からの表示領域の全範囲（Ｚ１×Ｙ１）の画像表示光Ｌを略Ｘ方向へと反射させる。
そして、第三面４３ａと第四面４３ｂとは、表示領域の全範囲（Ｚ１×Ｙ１）の画像表示光Ｌを交互に複数回反射させながら、ビームスプリッタ面４２に導く。一方、第一面４３ｃで表示領域の第一部分Ｂの画像表示光Ｌを１回反射させ、第二面４３ｄで表示領域の第二部分Ａの画像表示光Ｌを１回反射させ、第一面４３ｃと第二面４３ｄとで表示領域の第三部分Ｃの画像表示光Ｌを１回も反射させずに、ビームスプリッタ面４２に導く。
最後に、ビームスプリッタ面４２は、表示領域の全範囲（Ｚ１×Ｙ１）の画像表示光Ｌを反射させることにより、ライトガイド４の外部に、表示領域の全範囲（Ｚ１×Ｙ１）の画像表示光Ｌを出射させる。これにより、出射機構Ｓから出射される画像表示光Ｌは、ライトガイド４を介して、観察者の眼Ｅに導かれる。
【手続補正書】
【提出日】平成23年3月30日(2011.3.30)
【手続補正１】
【補正対象書類名】明細書
【補正対象項目名】００７０
【補正方法】変更
【補正の内容】
【００７０】
偏角は、入射装置側から見て試料面の中心を軸に右が１度上がる（左が１度下がる）ように傾いた場合を、偏角の＋２度、プラスと表し、右が１度下がる（左が１度上がる）ように傾いた場合を、偏角の−２度、マイナスと表すと、偏角が増加（＋）すると測定位置は測定面上を左方向に移動する。偏角を±２度ずつ変化させた測定点を図示した。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
部屋に据え付けられ、前記部屋の空気を吸い込み、調和空気として吹き出す空気調和機において、
前記調和空気の風向を制御する風向制御装置と、
前記部屋の一定範囲を走査して当該範囲の温度を検出する赤外線センサと、
前記赤外線センサにより走査された範囲の熱画像データを取得し、取得した熱画像データにおいて、所定の条件を満たす領域を前記空気調和機の近傍にいる人体として検出し、検出した人体めがけて前記調和空気が吹き出すように前記風向制御装置に前記調和空気の風向を制御させる制御部とを備えることを特徴とする空気調和機。
【請求項２】
前記制御部は、前記熱画像データとして、複数の画素からなる熱画像データを取得し、取得した熱画像データにおいて、前記所定の条件を満たす領域として、温度が所定の閾値以上の画素が所定の数以上ある領域を前記人体として検出することを特徴とする請求項１の空気調和機。
【請求項３】
前記制御部は、前記部屋の中の空気温度に応じて、前記所定の閾値を調整することを特徴とする請求項２の空気調和機。
【請求項４】
前記制御部は、前記赤外線センサに前記部屋の一定範囲を繰り返し走査させ、前記赤外線センサにより当該範囲が走査される度に、当該範囲の熱画像データを取得し、取得した熱画像データにおいて、前記所定の条件を満たす領域を検出した場合、前記赤外線センサに当該領域のみを繰り返し走査させ、前記赤外線センサにより当該領域が走査される度に、当該領域の熱画像データを取得し、取得した熱画像データにおいて、前記所定の条件が満たされなくなった場合、前記赤外線センサに再び前記部屋の一定範囲を繰り返し走査させることを特徴とする請求項１から３のいずれかの空気調和機。
【請求項５】
前記制御部は、取得した熱画像データにおいて、所定の時間継続して所定の条件を満たす領域を前記人体として検出することを特徴とする請求項１から４のいずれかの空気調和機。
【請求項６】
前記空気調和機は、さらに、前記空気調和機の本体又はリモコンに設けられ、前記制御部により前記人体が検出された後、前記風向制御装置により前記人体めがけて前記調和空気が吹き出すまでのカウントダウン表示を行う表示部を備えることを特徴とする請求項１から５のいずれかの空気調和機。
【請求項７】
前記制御部は、取得した熱画像データにおいて、所定の位置に前記部屋の壁及び床の境界線を設定し、前記境界線の上方向及び下方向に位置する複数の画素について上下方向に隣り合う画素間の温度差を算出し、算出した温度差に基づいて前記境界線の位置を補正し、前記境界線によって分けられる領域がそれぞれ前記壁及び前記床であると判定し、前記所定の条件を満たす領域が前記壁であると判定した領域の中にある場合、前記所定の条件を満たす領域が前記人体ではないと判断することを特徴とする請求項１から６のいずれかの空気調和機。
【請求項８】
前記制御部は、前記所定の条件を満たす領域の幅が所定の幅より大きい場合、前記所定の条件を満たす領域が前記人体ではないと判断することを特徴とする請求項１から７のいずれかの空気調和機。
【手続補正２】
【補正対象書類名】明細書
【補正対象項目名】００１６
【補正方法】変更
【補正の内容】
【００１６】
この発明に係る空気調和機は、部屋に据え付けられ、部屋の空気を吸い込み、調和空気として吹き出す空気調和機であり、
調和空気の風向を制御する風向制御装置と、
部屋の一定範囲を走査して当該範囲の温度を検出する赤外線センサと、
赤外線センサにより走査された範囲の熱画像データを取得し、取得した熱画像データにおいて、所定の条件を満たす領域を空気調和機の近傍にいる人体として検出し、検出した人体めがけて調和空気が吹き出すように風向制御装置に調和空気の風向を制御させる制御部とを備える。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
被検体である管路の内部に挿入可能な可撓性を有する挿入部からなる内視鏡と、
前記管路の基端側に配置され、前記内視鏡の基端側から先端側に向けて前記管路の内部に流体を噴射する第一の流体噴射手段と、前記内視鏡の前記挿入部に設けられ、外周側に張り出し、前記管路の内部に噴射された流体を受ける鍔部と、を有し、前記鍔部を振動させる第一の起振手段と、
を備えることを特徴とする内視鏡装置。
【請求項２】
請求項１に記載の内視鏡装置において、
前記第一の起振手段は、
前記挿入部に対して前記鍔部を、該鍔部の重心に対して前記挿入部の径方向に偏心させた固定位置で固定する偏心固定部を有する
ことを特徴とする内視鏡装置。
【請求項３】
請求項２に記載の内視鏡装置において、
前記第一の起振手段の前記偏心固定部は、
前記挿入部の中心軸と略平行な回転軸回りに前記鍔部を回転可能に固定している
ことを特徴とする内視鏡装置。
【請求項４】
請求項３に記載の内視鏡装置において、
前記第一の起振手段は、
前記鍔部に設けられ、前記第一の流体噴射手段からの前記流体を受けて前記回転軸回りの回転力を発生させる流体受部を有する
ことを特徴とする内視鏡装置。
【請求項５】
請求項３に記載の内視鏡装置において、
前記第一の起振手段は、
前記回転軸回りに前記鍔部を回転させる回転駆動部を有する
ことを特徴とする内視鏡装置。
【請求項６】
請求項１に記載の内視鏡装置において、
前記第一の起振手段は、
前記鍔部または前記挿入部の外周面から該挿入部の径方向に向かって流体を噴射させる第二の流体噴射手段を有する
ことを特徴とする内視鏡装置。
【請求項７】
請求項１から請求項６のいずれかに記載の内視鏡装置において、
前記鍔部が設けられた位置と軸方向に異なる位置で前記挿入部を振動させる第二の起振手段を備える
ことを特徴とする内視鏡装置。
【請求項８】
請求項１から請求項７のいずれかに記載の内視鏡装置において、
前記鍔部は、
前記挿入部の軸方向に複数設けられている
ことを特徴とする内視鏡装置。
【請求項９】
請求項１から請求項８のいずれかに記載の内視鏡装置において、
前記内視鏡の前記挿入部に外装される略管状で可撓性を有するガイドチューブと、
該ガイドチューブに設けられ、外周側に張り出すチューブ側鍔部を備える
ことを特徴とする内視鏡装置。
【手続補正２】
【補正対象書類名】明細書
【補正対象項目名】０００５
【補正方法】変更
【補正の内容】
【０００５】
上記課題を解決するために、この発明は以下の手段を提案している。
本発明の内視鏡装置は、被検体である管路の内部に挿入可能な可撓性を有する挿入部からなる内視鏡と、前記管路の基端側に配置され、前記内視鏡の基端側から先端側に向けて前記管路の内部に流体を噴射する第一の流体噴射手段と、前記内視鏡の前記挿入部に設けられ、外周側に張り出し、前記管路の内部に噴射された流体を受ける鍔部と、を有し、前記鍔部を振動させる第一の起振手段と、を備えることを特徴としている。
【手続補正書】
【提出日】平成23年6月8日(2011.6.8)
【手続補正１】
【補正対象書類名】明細書
【補正対象項目名】００２６
【補正方法】変更
【補正の内容】
【００２６】
また、工程（ａ）を省いて、（ａ’）アセタール化度５０〜９０モル％のポリビニルアセタール系多孔質体と、該多孔質体に対して１０〜４００重量％の固体ヨウ素を容器内に密閉する工程、（ｂ’）容器内を３０〜１００℃で加熱してヨウ素を吸着させる工程、（ｃ’）前記工程（ｂ’）の後、ヨウ素吸着後の多孔質体に対して１〜１００重量％のグリセリン、エチレングリコール、ポリエチレングリコール、酸化エチレン・酸化プロピレンブロック共重合体、アルキルポリオキシエチレンエーテル、脂肪酸ポリオキシエチレンエステル、脂肪酸ポリオキシエチレンソルビタンエステル、脂肪酸ポリオキシエチレンソルビトールエステル、ポリオキシエチレン硬化ヒマシ油、脂肪酸ソルビタンエステル、脂肪酸ポリグリセリンエステルおよび脂肪酸ショ糖エステルからなる群より選択される１種以上の湿潤剤を含浸させる工程、によってヨウ素迅速放出材を製造することもできる。
【手続補正２】
【補正対象書類名】明細書
【補正対象項目名】００２７
【補正方法】削除
【補正の内容】
【手続補正３】
【補正対象書類名】明細書
【補正対象項目名】００５１
【補正方法】変更
【補正の内容】
【００５１】
ポリエチレングリコール１０００を含浸させないこと以外は、実施例５と同様にしてヨウ素を吸着させた。反応後のポリビニルアセタールスポンジの重量測定からヨウ素吸着量は５０重量％であることが判った。また、得られたヨウ素迅速放出材のヨウ素放出速度は０．３５ｍｇ／ｓｅｃであった。
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
製品を収容するための貯留部を有するハウジングと、
前記ハウジングに結合され、表面に前記製品を塗布するための塗布面を有し、金属またはセラミックスからなる蓄熱チップと、
前記蓄熱チップ内に配され該蓄熱チップの塗布面と実質的に面一であり、前記貯留部に連通し前記蓄熱チップを貫通し前記塗布面の開口で終端する製品送出通路を画定するインサートと、を含み、
前記インサートは、熱可塑性ポリマーからなるディスペンサー。
【請求項２】
前記蓄熱チップは、ステンレス鋼からなる請求項１に記載のディスペンサー。
【請求項３】
前記蓄熱チップは、前記ハウジングに対する動きに抵抗して前記ハウジングに固定される請求項２に記載のディスペンサー。
【請求項４】
前記蓄熱チップは、略凸面の円板状本体を含む請求項１に記載のディスペンサー。
【請求項５】
前記蓄熱チップは、略曲線形状、略円筒形状、または、略平面形状を含む請求項１に記載のディスペンサー。
【請求項６】
前記蓄熱チップは、少なくとも約０．３グラム、多くても、約０．６グラムの質量を有する請求項１に記載のディスペンサー。
【請求項７】
前記蓄熱チップは、少なくとも約４５０立方ミリメートル、多くても、約５５０立方ミリメートルの体積を有する請求項１に記載のディスペンサー。
【請求項８】
前記インサートは、ポリプロピレンからなる請求項１に記載のディスペンサー。
【請求項９】
前記ディスペンサーから製品を施す製品送出機構をさらに含み、
該製品送出機構は、
逆クリック動作の送出機構と、
クリック動作の送出機構と、
絞り出しチューブ送出機構と、
エアレスポンプ送出機構と、または
エアゾール送出機構と
を含む請求項１に記載のディスペンサー。
【請求項１０】
製品を収容するための貯留部を有するハウジングと、
前記ハウジングに連結され、約３０マイクロインチから約７０マイクロインチまでの表面あらさを有する塗布面であって、表面に前記製品を塗布するための塗布面と、前記蓄熱チップを貫通し前記塗布面の開口で終端する製品送出通路と、を有する蓄熱チップと、を含み、該蓄熱チップは、金属またはセラミックスからなり、少なくとも約３００立方ミリメートル、多くても約７００立方ミリメートルの体積を有するディスペンサー。
【請求項１１】
前記蓄熱チップは、ステンレス鋼からなる請求項１０に記載のディスペンサー。
【請求項１２】
前記蓄熱チップは、前記ハウジングに対する動きに抵抗して前記ハウジングに固定される請求項１０に記載のディスペンサー。
【請求項１３】
前記蓄熱チップは、略凸面の円板状本体を含む請求項１０に記載のディスペンサー。
【請求項１４】
前記蓄熱チップは、略曲線形状、略円筒形状、または、略平面形状を含む請求項１０に記載のディスペンサー。
【請求項１５】
前記蓄熱チップは、少なくとも約０．３グラム、多くても、約０．６グラムの質量を有する請求項１０に記載のディスペンサー。
【請求項１６】
前記蓄熱チップは、少なくとも約４５０立方ミリメートル、多くても、約５５０立方ミリメートルの体積を有する請求項１０に記載のディスペンサー。
【請求項１７】
製品を収容するための貯留部を有するハウジングと、
前記ハウジングに結合され、表面に前記製品を塗布するための塗布面を有する蓄熱チップであって、該蓄熱チップを貫通し前記塗布面の開口で終端する製品送出通路を有する蓄熱チップと、を含み、
該蓄熱チップは、金属またはセラミックスからなり、少なくとも約０．３グラム、多くても、約０．７グラムの質量を有し、かつ、少なくとも約３００立方ミリメートル、多くても、約７００立方ミリメートルの体積を有するディスペンサー。
【請求項１８】
前記蓄熱チップは、ステンレス鋼からなる請求項１７に記載のディスペンサー。
【請求項１９】
前記蓄熱チップは、前記ハウジングに対する動きに抵抗して前記ハウジングに固定される請求項１７に記載のディスペンサー。
【請求項２０】
前記蓄熱チップは、略凸面の円板状本体を含む請求項１７に記載のディスペンサー。
【請求項２１】
前記ディスペンサーから製品を施す製品送出機構をさらに含み、
該製品送出機構は、
逆クリック動作の送出機構と、
クリック動作の送出機構と、
絞り出しチューブ送出機構と、
エアレスポンプ送出機構と、または
エアゾール送出機構と
を含む請求項１７に記載のディスペンサー。
【手続補正２】
【補正対象書類名】明細書
【補正対象項目名】００２２
【補正方法】変更
【補正の内容】
【００２２】
図４でさらに示されるように、蓄熱チップ１０２は、蓄熱チップのコネクタステム４０
２に配置された掛りによってハウジング１０４に連結され、掛りは、ハウジング１０４の
内部に係合する。しかし、他の実施例では、ハウジングは、任意の適切な手段によって蓄
熱チップに連結され得る。ハウジング１０４および蓄熱チップ１０２の製造は、別々の製
造プロセス、同時成形プロセス、または任意の他の適切な生産プロセスによって達成され
得る。
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
ペースメーカ信号及び心臓信号からなるＥＣＧ信号上でペースパルスを特定するための方法であって、
ＥＣＧ信号を提供する工程と、
ＥＣＧ信号から心臓信号を除去するためにＥＣＧ信号をフィルタ処理することによりＥＣＧ信号からペースメーカ信号を分離する工程と、
分離したペースメーカ信号を事前定義のサンプリングレートでサンプリングする工程と、
該分離したペースメーカ信号が規定するパルスを特定する工程と、
該特定したパルスの特性を計測する工程と、
該特定したパルスがペースパルスであるかどうかを判定する工程と
を含む方法。
【請求項２】
前記ＥＣＧ信号をフィルタ処理する工程がノイズを除去するために該ＥＣＧ信号を低域通過フィルタを通過させることをさらに含む、請求項１記載の方法。
【請求項３】
前記ＥＣＧ信号をフィルタ処理する工程が心臓信号を除去するために該ＥＣＧ信号を高域通過フィルタを通過させることを含む、請求項１記載の方法。
【請求項４】
前記ＥＣＧ信号をサンプリングする工程が該ＥＣＧ信号を概ね７５キロヘルツ／秒のレートでサンプリングすることを含む、請求項１記載の方法。
【請求項５】
前記パルスを特定する工程が該パルスを特定するために有限状態機械を実施することを含む、請求項１記載の方法。
【請求項６】
前記特定したパルスがペースパルスであるかどうかを判定する工程が該特定されたパルスの特性を解析することを含む、請求項１記載の方法。
【請求項７】
前記特定したパルスがペースパルスであるかどうかを判定する工程が該特定されたパルスの形態解析を含む、請求項１記載の方法。
【請求項８】
前記特定したパルスがペースパルスであるかどうかを判定する工程が該特定されたパルスによって規定された１つまたは複数の有意傾斜の解析を含む、請求項１記載の方法。
【請求項９】
ペースメーカ信号及び心臓信号からなる心電図（ＥＣＧ）信号上でペースパルスを特定するための方法であって、
ＥＣＧ信号を受け取る工程と、
ＥＣＧ信号から心臓信号を除去するためにＥＣＧ信号からペースメーカ信号を分離し、ＥＣＧ信号をフィルタ処理する工程と、
分離したペースメーカ信号を第１の事前定義のサンプリングレートでサンプリングする工程と、
該分離したペースメーカ信号においてパルスを特定する工程と、
該特定したパルスの特性を計測する工程と、
該特定したパルスを計測データに基づいてペースパルスとして適格判定する工程と、
ペースパルスからペースメーカ機能を解析する工程と、
を含む方法。
【請求項１０】
ペースメーカ信号を除去するためにＥＣＧ信号をフィルタ処理することによりＥＣＧ信号から心臓信号を分離する工程と、
分離した心臓信号を第２の事前定義のサンプリングレートでサンプリングする工程と、
該サンプリングされた分離した心臓信号から患者の心臓活動を解析する工程と、
をさらに含む、請求項９記載の方法。
【請求項１１】
第１の事前定義のサンプリングレートが第２の事前定義のサンプリングレートを上回る、
請求項１０記載の方法。
【請求項１２】
第１の事前定義のサンプリングレートが概ね７５キロヘルツ／秒である、請求項１１記載の方法。
【請求項１３】
第２の事前定義のサンプリングレートが概ね２キロヘルツ／秒である、請求項１１記載の方法。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
明細書に記載の疾患または障害を治療または予防する方法。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
観察対象に挿入される内視鏡挿入部の外周側に硬質シース芯材を備えたシースが配置されるとともに、このシースの内側に流体を供給して前記内視鏡挿入部を冷却する冷却手段が設けられた内視鏡システムであって、
前記内視鏡挿入部の外径に応じて、外周径の異なる複数のシースの中から選択された１つのシースと、
前記冷却手段の流体配管が接続され、かつ前記シースが少なくとも脱着可能に取り付けられるベース口金と、
前記ベース口金のシース固定部と前記シースとの間に、前記選択された1つのシースの外周径に対応する内周径を有し、前記ベース口金の内周面に嵌合される円筒状のゴム弾性体と、このゴム弾性体を軸方向に押圧して内周側に膨出変形させる押圧調整ねじと、によって構成され、前記シース固定部とシースとのギャップを埋める第１のギャップ調整手段と、を備えていることを特徴とする内視鏡システム。
【請求項２】
前記第１のギャップ調整手段は、前記シースに設けられる筒状のシース側ギャップ閉塞壁によって構成されていることを特徴とする請求項１に記載の内視鏡システム。
【請求項３】
前記シース側ギャップ閉塞壁は、前記シースに脱着可能にねじ固定されることを特徴とする請求項２に記載の内視鏡システム。
【請求項４】
前記シース側ギャップ閉塞壁は、前記シースに脱着可能に嵌合されるゴム弾性体によって構成されていることを特徴とする請求項２に記載の内視鏡システム。
【手続補正２】
【補正対象書類名】明細書
【補正対象項目名】０００８
【補正方法】変更
【補正の内容】
【０００８】
上記課題を解決するこの発明は、観察対象に挿入される内視鏡挿入部の外周側に硬質シース芯材を備えたシースが配置されるとともに、このシースの内側に流体を供給して前記内視鏡挿入部を冷却する冷却手段が設けられた内視鏡システムであって、前記内視鏡挿入部の外径に応じて、外周径の異なる複数のシースの中から選択された１つのシースと、前記冷却手段の流体配管が接続され、かつ前記シースが少なくとも脱着可能に取り付けられるベース口金と、前記ベース口金のシース固定部と前記シースとの間に、前記選択された1つのシースの外周径に対応する内周径を有し、前記ベース口金の内周面に嵌合される円筒状のゴム弾性体と、このゴム弾性体を軸方向に押圧して内周側に膨出変形させる押圧調整ねじと、によって構成され、前記シース固定部とシースとのギャップを埋める第１のギャップ調整手段と、を備えていることを特徴とする。
【手続補正３】
【補正対象書類名】明細書
【補正対象項目名】０００９
【補正方法】変更
【補正の内容】
【０００９】
この発明の場合、シースは、ベース口金のシース固定部に第１のギャップ調整手段を介して固定される。押圧調整ねじによってゴム弾性体を軸方向に押圧して内周側に膨出変形させることにより、ベース口金とシースの間のギャップがゴム弾性体によって埋められる。ゴム弾性体の内周側への膨出変形量は押圧調整ねじの締込み量によって容易に調整することができる。したがって、一種のゴム弾性体と押圧調整ねじによって多様な径のシースに対応することが可能になる。シースを換えるときには、第１のギャップ調整手段によってシースとベース口金とのギャップを埋めて新たなシースをベース口金に固定する。
【手続補正４】
【補正対象書類名】明細書
【補正対象項目名】００１０
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
前処理され、状態調節された化学反応用触媒としてのイオン交換体を貯蔵または輸送するための方法であって、
予備状態調節されたイオン交換樹脂を予備状態調節されたイオン交換樹脂懸濁液として貯蔵または輸送用容器中に保持すること；および
貯蔵のための貯蔵場所または樹脂を反応器へ移送するための反応器のいずれかへ、容器を輸送すること、
を含んでなる、方法。
【請求項２】
イオン交換樹脂懸濁液に対して固形分が２０〜８０容量％の気相中、５００容量ｐｐｍ未満の酸素の存在下に、イオン交換樹脂懸濁液を貯蔵または輸送用容器中に保持する、請求項１に記載の方法。
【請求項３】
任意の固化した又は部分的に固化した予備状態調節されたイオン交換樹脂懸濁液を、５００容量ｐｐｍ未満の酸素を有するポンプ送り可能なイオン交換樹脂懸濁液に変換すること；
イオン交換体を損傷させないポンプによって、予備状態調節されたイオン交換樹脂懸濁液を貯蔵または輸送用容器から除去すること；および
予備状態調節されたイオン交換樹脂懸濁液を、パイプライン又は柔軟接続のいずれかによって、５０℃〜８０℃の温度、固形分が２０〜８０容量％、酸素が５００容量ｐｐｍ未満の反応器へ移送すること、
を更に含んでなる、請求項２に記載の方法。
【請求項４】
予備状態調節されたイオン交換樹脂懸濁液の液相はＯＨ成分である、請求項２に記載の方法。
【請求項５】
ＯＨ成分はフェノールである、請求項４に記載の方法。
【手続補正２】
【補正対象書類名】明細書
【補正対象項目名】００４５
【補正方法】変更
【補正の内容】
【００４５】
本発明を具体化するある特定の構造を示して記載したが、発明思想の基礎を成す精神と範囲から逸脱することなく一部について様々な変更および再調整をなし得ること、および発明思想がここに示し記載した特定形態に限定されないことは、当業者に明白である。
本発明の好ましい態様は、以下を包含する。
〔１〕前処理され、状態調節された化学反応用触媒としてのイオン交換体を貯蔵または輸送するための方法であって、
予備状態調節されたイオン交換樹脂を予備状態調節されたイオン交換樹脂懸濁液として貯蔵または輸送用容器中に保持すること；および
貯蔵のための貯蔵場所または樹脂を反応器へ移送するための反応器のいずれかへ、容器を輸送すること、
を含んでなる、方法。
〔２〕貯蔵または輸送用容器を加熱することを更に含んでなる、〔１〕に記載の方法。
〔３〕イオン交換樹脂懸濁液に対して固形分が２０〜８０容量％の気相中、５００容量ｐｐｍ未満の酸素の存在下に、イオン交換樹脂懸濁液を貯蔵または輸送用容器中に保持する、〔１〕に記載の方法。
〔４〕任意の固化した又は部分的に固化した予備状態調節されたイオン交換樹脂懸濁液を、５００容量ｐｐｍ未満の酸素を有するポンプ送り可能なイオン交換樹脂懸濁液に変換すること；
イオン交換体を損傷させないポンプによって、予備状態調節されたイオン交換樹脂懸濁液を貯蔵または輸送用容器から除去すること；および
予備状態調節されたイオン交換樹脂懸濁液を、パイプライン又は柔軟接続のいずれかによって、５０℃〜８０℃の温度、固形分が２０〜８０容量％、酸素が５００容量ｐｐｍ未満の反応器へ移送すること、
を更に含んでなる、〔３〕に記載の方法。
〔５〕予備状態調節されたイオン交換樹脂懸濁液中に含まれる液相を、貯蔵または輸送用容器から反応器への移送中に、貯蔵または輸送用容器の循環においてライン経由で部分的に再利用し、およびラインを通じて貯蔵または輸送用容器へ部分的に再利用する、〔４〕に記載の方法。
〔６〕予備状態調節されたイオン交換樹脂懸濁液の液相はＯＨ成分である、〔３〕に記載の方法。
〔７〕ＯＨ成分はフェノールである、〔６〕に記載の方法。
〔８〕フェノールはフェノールに対して０．１〜１０％の範囲の残存含水量を有する、〔７〕に記載の方法。
〔９〕予備状態調節されたイオン交換樹脂懸濁液は、ゲル形態またはマクロ多孔質構造を有するイオン交換体を含む、〔３〕に記載の方法。
〔１０〕予備状態調節されたイオン交換体をフェノール中に貯蔵し、フェノール割合はイオン交換体／フェノール懸濁液の全質量に対して２０〜８０重量％である、〔３〕に記載の方法。
〔１１〕予備状態調節されたイオン交換樹脂懸濁液中のイオン交換樹脂はカチオン性イオン交換樹脂である、〔３〕に記載の方法。